(57)【特許請求の範囲】
【請求項１】
内側引戸に取り付けられる内フレームに枢支され、外側引戸に取り付けられる外フレームのストライク板に係脱されるカマと、内フレームに上下動可能に装着されると共にカマに連係された駆動板と、内フレームに設けられると共に駆動板に連係された室内側の操作部材と、外フレーム固定されるシリンダ錠と、シリンダ錠の内筒に設けられると共に駆動板に選択的に連係される連結軸とから成る引戸錠において、引戸閉鎖時における内フレームと外フレームとの相対位置関係を調整するものであって、外フレームにはこれを外側引戸に仮締めし或いは本締めする外フレームの取付ねじを、内フレーム内のフロント板付近にはこれを内側引戸に仮締めし或いは本締めする内ねじを夫々設けると共に、内ねじは内フレームの室内側の開口から操作するようにし、一方、内フレームの室内側の開口を化粧板によって閉塞できるようにしてこれを化粧板の取付ねじで固定するようにし、他方、フロント板には第１小孔を、ストライク板には第１小孔と同径の第２小孔を夫々開口させると共に、外フレームの金属鋳物製の外側化粧板の裏側に、第１及び第２小孔とほぼ同じ内径で、開口端に案内錐面を形成した有底の筒体を一体に突設し、内フレーム及び外フレームの一方に対する他方の上下並びに左右方向の相対位置が適正であるとき、棒状工具を第１小孔から第２小孔を差し通して筒体に嵌合できるようにし、内フレームの化粧板を取り外した状態で、内フレーム及び外フレームの一方を取付ねじによって本締めし、また、他方を仮締めし、棒状工具を第１小孔から第２小孔を経て筒体に差し通すことによって内フレーム及び外フレームの一方に対する他方の相対位置関係を調整し、調整後内ねじ或いは取付ねじによって他方を固定し、以後化粧板を内フレームに固定するようにしたことを特徴とする引戸錠における位置合せ装置。
【発明の詳細な説明】
【０００１】
【発明の属する技術分野】
この発明は、２つの引戸をその召し合せ部分で施錠するための引戸錠において、取り付け時に内外両フレームを位置合せする位置合せ装置に関する。
【０００２】
【従来の技術】
この種の従来の装置としては、例えば特開平７−２６９１９７号公報に開示されたものを挙げることができる。
【０００３】
その装置は、内側引戸に取り付けられる内フレームに枢支され、外側引戸に取り付けられる外フレームのストライク板に係脱されるカマと、内フレームに上下動可能に装着されると共にカマに連係された駆動板と、内フレームに設けられると共に駆動板に連係された室内側の操作部材と、外フレームに固定されるシリンダ錠と、シリンダ錠の内筒に設けられると共に駆動板に選択的に連係される連結軸とから成る引戸錠において、内フレームのフロント板に位置合せ用の小孔を設けると共に、外フレームのストライク板にも位置合せ用の小孔を設け、このストライク板の小孔に筒体を連設して成るものである。
【０００４】
【発明が解決しようとする課題】
しかしながら、前記の従来装置によれば、一つには、カマを係入させるストライク板は強度上ステンレススチール等の強靱な鋼板をプレスして成形しているため、位置合せ用の筒体は別体としてそのストライク板に溶接又はかしめ付け等により、固定しなければならず、コスト高になるという問題がある。
【０００５】
また、他の一つには、引戸錠の取付け作業時、内外両フレーム間にずれがあると棒状工具の差し込みがスムーズに行かないという問題もあった。
【０００６】
この発明の引戸錠における位置合せ装置は、製作時の工程数を減じてコストの低減を計ると共に、引戸錠の取付け作業時における棒状工具の筒体への差し込みを容易に行えるようにすることを目的として提案された。
【０００７】
【課題を解決するための手段】
上記の目的を達成するため、この発明の位置合せ装置は、内側引戸に取り付けられる内フレームに枢支され、外側引戸に取り付けられる外フレームのストライク板に係脱されるカマと、内フレームに上下動可能に装着されると共にカマに連係された駆動板と、内フレームに設けられると共に駆動板に連係された室内側の操作部材と、外フレーム固定されるシリンダ錠と、シリンダ錠の内筒に設けられると共に駆動板に選択的に連係される連結軸とから成る引戸錠において、引戸閉鎖時における内フレームと外フレームとの相対位置関係を調整するものであって、外フレームにはこれを外側引戸に仮締めし或いは本締めする外フレームの取付ねじを、内フレーム内のフロント板付近にはこれを内側引戸に仮締めし或いは本締めする内ねじを夫々設けると共に、内ねじは内フレームの室内側の開口から操作するようにし、一方、内フレームの室内側の開口を化粧板によって閉塞できるようにしてこれを化粧板の取付ねじで固定するようにし、他方、フロント板には第１小孔を、ストライク板には第１小孔と同径の第２小孔を夫々開口させると共に、外フレームの金属鋳物製の外側化粧板の裏側に、第１及び第２小孔とほぼ同じ内径で、開口端に案内錐面を形成した有底の筒体を一体に突設し、内フレーム及び外フレームの一方に対する他方の上下並びに左右方向の相対位置が適正であるとき、棒状工具を第１小孔から第２小孔を差し通して筒体に嵌合できるようにし、内フレームの化粧板を取り外した状態で、内フレーム及び外フレームの一方を取付ねじによって本締めし、また、他方を仮締めし、棒状工具を第１小孔から第２小孔を経て筒体に差し通すことによって内フレーム及び外フレームの一方に対する他方の相対位置関係を調整し、調整後内ねじ或いは取付ねじによって他方を固定し、以後化粧板を内フレームに固定するようにしたことを特徴とする。
【０００８】
【発明の実施の形態】
以下、図面に示す実施例に基づいてこの発明について説明する。
図１において、符号１は内側引戸１０に内ねじ９１及び取付けねじ９２により取り付けられる内フレームで、カマ３の突出入孔１４を有するフロント板１１と、このフロント板１１にねじ止めされた中箱１２と、内側化粧板１３とで構成されている。
【０００９】
また、符号１５はフロント板１１の内側に鋲等で固定された雌ねじを有するねじ受け片で、前記の内ねじ９１及び／又は取付けねじ９２がねじ合わされる。
【００１０】
一方、符号２は外側引戸２０に取付けねじ９３により取り付けられる外フレームで、カマ３の係入孔２３を有するストライク板２１と、裏面に取付けねじ用の一体の雌ねじ杆２４を有する外側化粧板２２とで構成されている。
【００１１】
内フレーム１の中箱１２内に横軸３１で枢支される錠止部材であるカマ３は、後記の駆動板４の上下動により揺動して外フレーム２におけるストライク板２２の係入孔２３に係脱して施錠位置又は解錠位置を占める。
【００１２】
内フレーム１における中箱１２内に任意の案内手段で案内されるようにして上下動可能に設けられた駆動板４は、室内側から、操作部材４１を介して、手指により操作される。
【００１３】
操作部材４１は内側化粧板１３と止め板１６とで作られた空間内に可動に納められ、つまみ４２で駆動板４と共に上下動される。操作部材４１と駆動板４との間は操作部材４１に内方に向け突設された突片４３により連結されている。
【００１４】
上記のカマ３には、厚さ方向にだるま形など非円形の係合孔３２が開口しており、その係合孔３２に対し駆動板４に固設した駆動ピン４４が遊嵌させてある。
【００１５】
このような駆動ピン４４と係合孔３２とから成る連係手段の存在により、駆動板４が図１で下方へ移動すると、カマ３は矢印Ａ方向に振り出され、ストライク板２１の係入孔２４に係入されて施錠状態となる。
【００１６】
また、駆動板４が逆に上方に戻ると、カマ３は矢印Ａとは逆の方向に振り戻され、図１の解錠位置に復帰する。
【００１７】
なお、図１で符号３３はカマ３のクリックばね、３４は駆動板４によって作動され、カマ３を施錠位置で選択的に固定する錠止片である。
【００１８】
一方、外側引戸２０に取り付けられる外フレーム２におけるストライク板２１の中央部分には、ディスクタンブラー錠その他のシリンダ錠５を鍵の差し込み方向Ｂが該ストライク板２１と直角をなすようにして装着してある。
【００１９】
前記のシリンダ錠５は、前出の公報や実公昭５８−２１８６６号公報に示されているような、内筒が鍵孔軸線方向に摺動する形式のシリンダ錠で、内筒（図示しない）が鍵により内フレーム１に向け押し出された時、内筒に固設された横断面が非円形の連結軸５１を、内フレーム１の中箱１２に支承させたピニオン６１に選択的に差し込むことができる。
【００２０】
更に、そのピニオン６１は、上記の駆動板４に設けたラック歯列６２に噛み合せてあるので、シリンダ錠５に差し込んだ鍵を押し込んだ状態で回すことにより、駆動板４を上下方向に変位させることができる。
【００２１】
要するに、図示の引戸錠は、周知のように室内又は室外のいずれの側からも施解錠させ得るものである。
【００２２】
次に、この発明の位置合せ装置の要部について説明する。
内フレーム１におけるフロント板１１の適所には、ドライバ等の棒状工具８を差し込むための位置合せ用の第１小孔７１が穿設されている。
【００２３】
また、外フレーム２におけるストライク板２１にも、前記の第１小孔７１に対応させて、同様に棒状工具８を差し込むための位置合せ用の第２小孔７２を穿設する。
【００２４】
そして、外フレームの外側化粧板２２の裏面に前記の第２小孔７２に対向させて有底の筒体７３を一体に突設し、筒体７３の開口端には棒状工具８を差し込む時、その先端を誘導案内する円錐状をなす案内錐面７４を形成する。
【００２５】
外側化粧板２２は、金属材料をダイカスト等により鋳物として作るのが普通であるから、そのキャスティングの際前記筒体７３は同時に一体に形成するを可とする。このように筒体７３を形成することは、筒体形成のために独立した別の工程を要しないので、コストの低減化が計れる。
【００２６】
以上の構成のこの発明の位置合せ装置による引戸錠取り付け時の作用について説明する。
【００２７】
図２に示すように、内側引戸１０に対し中箱１２と共にフロント板１１を内ねじ９１で固定し、また、外側引戸２０に対し外フレーム２、すなわち、シリンダ錠５を含むストライク板２１及び外側化粧板２２を取付けねじ９３で仮締めする。
【００２８】
そこでフロント板１１の第１小孔７１及びストライク板２１の第２小孔７２を通じ、外側化粧板２２に突設された筒体７３にドライバ等の棒状工具８を挿入することにより、外フレーム（２１、２２）を内フレーム１に対する上下並びに左右方向の適正位置に合せ、外フレーム２の取付けねじ９３を最終的に締め付ける。
【００２９】
棒状工具８を筒体７３に差し込む際、両小孔７１、７２の間にずれがあって、工具８の先端が筒体７３の中心から多少ずれることがあっても、案内錐面７４の存在により、工具先端は筒体７３に楽に挿入することができる。
【００３０】
外フレーム２の取付けねじ９３による本締めが終了したら、内フレーム１の内側化粧板１３を内側引戸１０に取付けねじ９２で固定し、もって引戸錠の取付けを完了する。
【００３１】
なお、図示例の位置合せ装置では、別の手順、すなわち、外フレーム２の取付けねじ９３による固定→内フレーム１のフロント板１１の内ねじ９１による仮締め→棒状工具８の挿入によるフロント板１１の位置合せ→フロント板１１の内ねじ９１による本締め→内側化粧板１３の取付けねじ９２による固定、の手順によっても、引戸錠を適正に取り付けることができる。
【００３２】
【発明の効果】
以上に説明したこの発明の引戸錠による位置合せ装置によれば、製作時における工程数の削減によってコストダウンが計れるのみならず、引戸錠の取付け作業において、棒状工具の位置合せ用の筒体に対する差し込みを極めて容易に行えるようにするなどの効果を奏する。
【図面の簡単な説明】
【図１】この発明の位置合せ措置を実施した引戸錠の一例を引戸に取付けた状態で示す部分縦断側面図。
【図２】その引戸錠の取付け作業の一過程を示す部分縦断側面図。
【符号の説明】
１０  内側引戸
２０  外側引戸
１  内フレーム
１１  フロント板
２  外フレーム
２１  ストライク板
２２  外側化粧板
３  カマ
４  駆動板
４１  操作部材
７１  第１小孔
７２  第２小孔
７３  筒体
７４  案内錐面
【図１】
0003784441.tif 000002
【図２】
0003784441.tif 000003